(57)【要約】【課題】移動局装置が通信を開始しようとする時点では、ある基地局装置と通信を行う場合に良い通信品質が得られるとしても、通常その時点を含む時間帯で、移動局装置が該基地局装置と通信を行う場合の通信品質がよくない場合には、接続先として該基地局装置が選択されにくくすること。【解決手段】移動体通信システム１において、時間帯と、通信品質と、の関係を示す通信品質関係データを記憶する記憶部２４と、現在時刻に応じて、時間帯を示す時間帯情報を取得する時間帯情報取得部１６と、記憶部２４により記憶される通信品質関係データから、各基地局装置２０について上記時間帯における通信品質の傾向を示す通信品質傾向データを取得する通信品質傾向データ取得部１８と、取得される各基地局装置２０についての通信品質傾向データに基づき、移動局装置１０の接続先を決定する接続先決定部１９と、を含む。【選択図】図２
2007318594.tif 000002
【特許請求の範囲】
【請求項１】
複数の移動局装置と、複数の基地局装置と、を含む移動体通信システムであって、
時間帯と、通信品質と、の関係を示す通信品質関係データを記憶する記憶部と、
現在時刻に応じて、時間帯を示す時間帯情報を取得する時間帯情報取得部と、
前記記憶部により記憶される通信品質関係データから、前記各基地局装置について、前記時間帯情報取得部により取得される時間帯情報により示される時間帯における通信品質の傾向を示す通信品質傾向データを取得する通信品質傾向データ取得部と、
前記通信品質傾向データ取得部により取得される前記各基地局装置についての通信品質傾向データに基づき、前記移動局装置の接続先となる前記基地局装置を決定する接続先基地局装置決定部と、
を含むことを特徴とする移動体通信システム。
【請求項２】
請求項１に記載の移動体通信システムにおいて、
前記各移動局装置において、前記各基地局装置との間で行う通信の通信品質を示す通信品質情報を取得する通信品質情報取得部と、
前記通信品質情報取得部により前記通信品質情報が取得された際の時間帯を示す時間帯情報を取得する通信品質情報取得時間帯情報取得部と、
前記通信品質情報取得部により取得される通信品質情報により示される通信品質と、該通信品質情報について前記通信品質情報取得時間帯情報取得部により取得される時間帯情報により示される時間帯と、の関係を示す通信品質関係データを生成し、前記記憶部に書き込む書込部と、
をさらに含むことを特徴とする移動体通信システム。
【請求項３】
請求項２に記載の移動体通信システムにおいて、
当該移動体通信システムは、
前記通信品質情報取得部により前記通信品質情報が取得された際の、該通信品質情報を取得した前記移動局装置の位置を示す位置情報を取得する通信品質情報取得位置情報取得部、
をさらに含み、
前記通信品質関係データは、前記通信品質情報取得部により取得される通信品質情報により示される通信品質と、該通信品質情報について前記通信品質情報取得時間帯情報取得部により取得される時間帯情報及び前記通信品質情報取得位置情報取得部により取得される位置情報と、の関係を示すデータであり、
当該移動体通信システムは、
前記移動局装置の現在位置に応じて、位置を示す位置情報を取得する位置情報取得部、
をさらに含み、
前記通信品質傾向データ取得部は、前記記憶部により記憶される通信品質関係データから、前記各基地局装置について、前記時間帯情報取得部により取得される時間帯情報により示される時間帯及び前記位置情報取得部により取得される位置情報により示される位置における通信品質の傾向を示す通信品質傾向データを取得する、
ことを特徴とする移動体通信システム。
【請求項４】
請求項１乃至３に記載の移動体通信システムにおいて、
当該移動体通信システムは、
いずれかの前記基地局装置と通信接続中の注目移動局装置について、そのハンドオーバ先候補として少なくとも１つの基地局装置を選出するハンドオーバ先候補基地局装置選出部、
をさらに含み、
前記通信品質傾向データ取得部は、前記注目移動局装置と通信接続中の前記基地局装置について前記通信品質傾向データを取得するとともに、該注目移動局装置のハンドオーバ先候補として選出された前記各基地局装置についても前記通信品質傾向データを取得し、
前記接続先基地局装置決定部は、前記注目移動局装置と通信接続中の前記基地局装置について取得された通信品質傾向データと、該注目移動局装置のハンドオーバ先候補として選出された前記各基地局装置のそれぞれについて取得された通信品質傾向データと、を比較し、比較結果に基づいて、該注目移動局装置の接続先となる前記基地局装置を決定し、
当該移動体通信システムは、
前記接続先基地局装置決定部により接続先として決定された前記基地局装置が、前記注目移動局装置のハンドオーバ先候補として選出された前記各基地局装置のうちのひとつであった場合に、該注目移動局装置のハンドオーバ処理を開始するハンドオーバ処理開始部、
をさらに含む、
ことを特徴とする移動体通信システム。
【請求項５】
複数の移動局装置と通信接続する基地局装置であって、
前記各移動局装置から、当該基地局装置との間で行う通信の通信品質を示す通信品質情報を受信する通信品質情報受信部と、
前記各移動局装置が前記通信品質情報を取得した際の時間帯を示す時間帯情報を取得する通信品質情報取得時間帯情報取得部と、
前記通信品質情報受信部により取得される通信品質情報により示される通信品質と、該通信品質情報について前記通信品質情報取得時間帯情報取得部により取得される時間帯情報により示される時間帯と、の関係を示す通信品質関係データを記憶する記憶部と、
前記各移動局装置からの要求と、該要求により示される時間帯情報と、に応じて前記記憶部に記憶される通信品質関係データを読み出し、該通信品質関係データに応じたデータを、要求した前記移動局装置に送信するデータ送信部と、
を含むことを特徴とする基地局装置。
【請求項６】
複数の基地局装置のいずれかと通信接続する移動局装置であって、
現在時刻に応じて、時間帯を示す時間帯情報を取得する時間帯情報取得部と、
時間帯と、通信品質と、の関係を示す通信品質関係データを記憶する記憶部により記憶される通信品質関係データから、前記各基地局装置について、前記時間帯情報取得部により取得される時間帯情報により示される時間帯における通信品質の傾向を示す通信品質傾向データを取得する通信品質傾向データ取得部と、
前記通信品質傾向データ取得部により取得される前記各基地局装置についての通信品質傾向データに基づき、前記移動局装置の接続先となる前記基地局装置を決定する接続先基地局装置決定部と、
を含むことを特徴とする移動局装置。
【請求項７】
複数の移動局装置と、複数の基地局装置と、を含む移動体通信システムにおいて、移動局装置の接続先基地局装置を決定するための接続先基地局装置決定方法であって、
現在時刻に応じて、時間帯を示す時間帯情報を取得する時間帯情報取得ステップと、
時間帯と、通信品質と、の関係を示す通信品質関係データを記憶する記憶部により記憶される通信品質関係データから、前記各基地局装置について、前記時間帯情報取得ステップにおいて取得される時間帯情報により示される時間帯における通信品質の傾向を示す通信品質傾向データを取得する通信品質傾向データ取得ステップと、
前記通信品質傾向データ取得ステップにおいて取得される前記各基地局装置についての通信品質傾向データに基づき、前記移動局装置の接続先となる前記基地局装置を決定する接続先基地局装置決定ステップと、
を含むことを特徴とする接続先基地局装置決定方法。
【発明の詳細な説明】
【技術分野】
【０００１】
本発明は移動体通信システム、基地局装置、移動局装置、及び接続先基地局装置決定方法に関する。
【背景技術】
【０００２】
移動体通信システムでは、移動局装置が基地局装置と通信を開始しようとするとき、複数の基地局装置との通信が可能である場合がある。このような場合、移動局装置は所定の基準により、接続先の基地局装置を決定する。
【０００３】
例えば、特許文献１に記載の技術では、基地局装置の負荷状況に基づいて、接続先の基地局装置が決定される。また、特許文献２に記載の技術では、無線品質状態に基づいて、接続先の基地局装置が決定される。
【特許文献１】特開２００４−１１２５８２号公報
【特許文献２】特開２００４−３０４３９９号公報
【発明の開示】
【発明が解決しようとする課題】
【０００４】
上記いずれの特許文献に記載の技術によっても、各基地局装置の現状のみに基づいて、接続先の基地局装置が決定されている。
【０００５】
しかしながら、現状のみに基づいて接続先を決定すると、通信品質が悪化してしまう場合がある。
【０００６】
例えば、移動局装置の位置と時間帯によっては通信可能な基地局装置が１つしかない場合もあり、そのような場合、移動局装置は特定の基地局装置としか通信できない。このような移動局装置が突然増えると、該特定の基地局装置に負荷が集中してしまい、移動局装置が該特定の基地局装置と通信を行う際の通信品質が悪化する。
【０００７】
より具体的な例では、オフィスでは昼休みになるとメールやブラウジングの利用が増えることが知られているが、特定のインビル基地局装置としか通信することができないフロアでは、昼休みになると、該特定のインビル基地局装置の負荷量が増大し、移動局装置が該特定のインビル基地局装置と通信を行う際の通信品質が悪化する。
【０００８】
このような場合、昼休みには、上記特定のインビル基地局装置以外の基地局装置と通信可能な移動局装置については、上記特定のインビル基地局装置と通信を行わないようにすることができれば、できない場合に比べ、移動局装置が上記特定のインビル基地局装置と通信を行う際の通信品質の悪化を抑制することができる。
【０００９】
すなわち、移動局装置が通信を開始しようとする時点では、ある基地局装置と通信を行う場合に良い通信品質が得られるとしても、通常その時点を含む時間帯で、移動局装置が該基地局装置と通信を行う場合の通信品質がよくない場合には、接続先として該基地局装置が選択されにくくすることが望まれる。
【００１０】
従って、本発明の課題の一つは、移動局装置が通信を開始しようとする時点では、ある基地局装置と通信を行う場合に良い通信品質が得られるとしても、通常その時点を含む時間帯で、移動局装置が該基地局装置と通信を行う場合の通信品質がよくない場合には、接続先として該基地局装置が選択されにくくすることができる移動体通信システム、基地局装置、移動局装置、及び接続先基地局装置決定方法を提供することにある。
【課題を解決するための手段】
【００１１】
上記課題を解決するための本発明にかかる移動体通信システムは、複数の移動局装置と、複数の基地局装置と、を含む移動体通信システムであって、時間帯と、通信品質と、の関係を示す通信品質関係データを記憶する記憶部と、現在時刻に応じて、時間帯を示す時間帯情報を取得する時間帯情報取得部と、前記記憶部により記憶される通信品質関係データから、前記各基地局装置について、前記時間帯情報取得部により取得される時間帯情報により示される時間帯における通信品質の傾向を示す通信品質傾向データを取得する通信品質傾向データ取得部と、前記通信品質傾向データ取得部により取得される前記各基地局装置についての通信品質傾向データに基づき、前記移動局装置の接続先となる前記基地局装置を決定する接続先基地局装置決定部と、を含むことを特徴とする。
【００１２】
これによれば、移動局装置が通信を開始しようとする時点では、ある基地局装置と通信を行う場合に良い通信品質が得られるとしても、通常その時点を含む時間帯で、移動局装置が該基地局装置と通信を行う場合の通信品質がよくない場合には、接続先として該基地局装置が選択されにくくすることができる。
【００１３】
また、上記移動体通信システムにおいて、前記各移動局装置において、前記各基地局装置との間で行う通信の通信品質を示す通信品質情報を取得する通信品質情報取得部と、前記通信品質情報取得部により前記通信品質情報が取得された際の時間帯を示す時間帯情報を取得する通信品質情報取得時間帯情報取得部と、前記通信品質情報取得部により取得される通信品質情報により示される通信品質と、該通信品質情報について前記通信品質情報取得時間帯情報取得部により取得される時間帯情報により示される時間帯と、の関係を示す通信品質関係データを生成し、前記記憶部に書き込む書込部と、をさらに含むこととしてもよい。
【００１４】
これによれば、記憶部に、各移動局装置が取得した通信品質情報（過去の通信品質情報）に関する通信品質関係データを蓄積しておくことができるようになる。
【００１５】
さらに、上記移動体通信システムにおいて、当該移動体通信システムは、前記通信品質情報取得部により前記通信品質情報が取得された際の、該通信品質情報を取得した前記移動局装置の位置を示す位置情報を取得する通信品質情報取得位置情報取得部、をさらに含み、前記通信品質関係データは、前記通信品質情報取得部により取得される通信品質情報により示される通信品質と、該通信品質情報について前記通信品質情報取得時間帯情報取得部により取得される時間帯情報及び前記通信品質情報取得位置情報取得部により取得される位置情報と、の関係を示すデータであり、当該移動体通信システムは、前記移動局装置の現在位置に応じて、位置を示す位置情報を取得する位置情報取得部、をさらに含み、前記通信品質傾向データ取得部は、前記記憶部により記憶される通信品質関係データから、前記各基地局装置について、前記時間帯情報取得部により取得される時間帯情報により示される時間帯及び前記位置情報取得部により取得される位置情報により示される位置における通信品質の傾向を示す通信品質傾向データを取得する、こととしてもよい。
【００１６】
通信品質は位置ごとに異なる場合がある。上記移動体通信システムによれば、移動局装置の位置に応じて、より適切に接続先の基地局装置を決定することができるようになる。
【００１７】
また、上記各移動体通信システムにおいて、当該移動体通信システムは、いずれかの前記基地局装置と通信接続中の注目移動局装置について、そのハンドオーバ先候補として少なくとも１つの基地局装置を選出するハンドオーバ先候補基地局装置選出部、をさらに含み、前記通信品質傾向データ取得部は、前記注目移動局装置と通信接続中の前記基地局装置について前記通信品質傾向データを取得するとともに、該注目移動局装置のハンドオーバ先候補として選出された前記各基地局装置についても前記通信品質傾向データを取得し、前記接続先基地局装置決定部は、前記注目移動局装置と通信接続中の前記基地局装置について取得された通信品質傾向データと、該注目移動局装置のハンドオーバ先候補として選出された前記各基地局装置のそれぞれについて取得された通信品質傾向データと、を比較し、比較結果に基づいて、該注目移動局装置の接続先となる前記基地局装置を決定し、当該移動体通信システムは、前記接続先基地局装置決定部により接続先として決定された前記基地局装置が、前記注目移動局装置のハンドオーバ先候補として選出された前記各基地局装置のうちのひとつであった場合に、該注目移動局装置のハンドオーバ処理を開始するハンドオーバ処理開始部、をさらに含む、こととしてもよい。
【００１８】
また、本発明にかかる基地局装置は、複数の移動局装置と通信接続する基地局装置であって、前記各移動局装置から、当該基地局装置との間で行う通信の通信品質を示す通信品質情報を受信する通信品質情報受信部と、前記各移動局装置が前記通信品質情報を取得した際の時間帯を示す時間帯情報を取得する通信品質情報取得時間帯情報取得部と、前記通信品質情報受信部により取得される通信品質情報により示される通信品質と、該通信品質情報について前記通信品質情報取得時間帯情報取得部により取得される時間帯情報により示される時間帯と、の関係を示す通信品質関係データを記憶する記憶部と、前記各移動局装置からの要求と、該要求により示される時間帯情報と、に応じて前記記憶部に記憶される通信品質関係データを読み出し、該通信品質関係データに応じたデータを、要求した前記移動局装置に送信するデータ送信部と、を含むことを特徴とする。
【００１９】
また、本発明にかかる移動局装置は、複数の基地局装置のいずれかと通信接続する移動局装置であって、現在時刻に応じて、時間帯を示す時間帯情報を取得する時間帯情報取得部と、時間帯と、通信品質と、の関係を示す通信品質関係データを記憶する記憶部により記憶される通信品質関係データから、前記各基地局装置について、前記時間帯情報取得部により取得される時間帯情報により示される時間帯における通信品質の傾向を示す通信品質傾向データを取得する通信品質傾向データ取得部と、前記通信品質傾向データ取得部により取得される前記各基地局装置についての通信品質傾向データに基づき、前記移動局装置の接続先となる前記基地局装置を決定する接続先基地局装置決定部と、を含むことを特徴とする。
【００２０】
また、本発明にかかる接続先基地局装置決定方法は、複数の移動局装置と、複数の基地局装置と、を含む移動体通信システムにおいて、移動局装置の接続先を決定するための接続先基地局装置決定方法であって、現在時刻に応じて、時間帯を示す時間帯情報を取得する時間帯情報取得ステップと、時間帯と、通信品質と、の関係を示す通信品質関係データを記憶する記憶部により記憶される通信品質関係データから、前記各基地局装置について、前記時間帯情報取得ステップにおいて取得される時間帯情報により示される時間帯における通信品質の傾向を示す通信品質傾向データを取得する通信品質傾向データ取得ステップと、前記通信品質傾向データ取得ステップにおいて取得される前記各基地局装置についての通信品質傾向データに基づき、前記移動局装置の接続先となる前記基地局装置を決定する接続先基地局装置決定ステップと、を含むことを特徴とする。
【発明を実施するための最良の形態】
【００２１】
本発明の実施の形態について、図面を参照しながら説明する。
【００２２】
図１は、本実施の形態にかかる移動体通信システム１のシステム構成を示す図である。同図に示すように、移動体通信システム１は基地局装置２０と移動局装置１０とを含んで構成される。
【００２３】
基地局装置２０及び移動局装置１０は、いずれもＣＰＵ及びメモリを備えるコンピュータとしての機能を備えている。ＣＰＵは、メモリに記憶されるプログラムを実行するための処理ユニットであり、各装置の各部を制御する処理を行うとともに、後述する各機能を実現する。メモリは本実施の形態を実施するためのプログラムやデータを記憶している。また、ＣＰＵのワークメモリとしても動作する。
【００２４】
基地局装置２０は固定的に設置されており、定期的に制御信号を送信する。
【００２５】
移動局装置１０は、各基地局装置２０の送信する制御信号を走査する。移動局装置１０は、この走査により制御信号が検出されると、次の判定を行う。すなわち、該制御信号を送信した基地局装置２０は、その送信電波が当該移動局装置１０に到達し得る距離にあると判定する。
【００２６】
特に障害物がない場合、基地局装置２０が送信した制御信号が移動局装置１０に到達する地理的範囲は、基地局装置２０を中心とした円形の範囲となる。図１では、基地局装置２０−１についての上記地理的範囲を領域Ａ１で示し、基地局装置２０−２についての上記地理的範囲を領域Ａ２で示し、基地局装置２０−３についての上記地理的範囲を領域Ａ３で示している。
【００２７】
図１において、移動局装置１０は基地局装置２０−１、基地局装置２０−２、基地局装置２０−３の３つの基地局装置２０が、その送信電波が当該移動局装置１０に到達し得る距離にあると判定する。そして、この３つの基地局装置２０の中から、接続先とする基地局装置２０を決定する。以下、この決定のための機能について、移動局装置１０と基地局装置２０の機能ブロックを参照しながら、詳細に説明する。
【００２８】
図２は、移動局装置１０と基地局装置２０の機能ブロックを示す図である。同図に示すように、移動局装置１０は機能的に、通信部１１、通信品質情報取得部１２、通信品質情報取得時間帯情報取得部１３、通信品質情報取得位置情報取得部１４、通信品質関係データ取得部１５、時間帯情報取得部１６、位置情報取得部１７、通信品質傾向データ取得部１８、接続先決定部１９を含んで構成される。さらに、通信部１１はその内部にハンドオーバ先候補選出部１１１を含み、接続先決定部１９はその内部にハンドオーバ処理開始部１９１を含んで構成される。また、基地局装置２０は機能的に、通信部２１、通信品質情報取得部２２、通信品質関係データ生成部２３、記憶部２４、通信品質関係データ読出部２５を含んで構成される。
【００２９】
通信部１１と通信部２１とは、互いに無線通信を行う。具体的には、一方が通信データを生成し、符号化及び変調したのち、無線信号として他方に送信する。無線信号を受信した他方は、これに復調及び復号を施し、通信データを取得する。
【００３０】
通信部２１は、通信部１１から受信した通信データを、図示しない回線を介して、ネットワークへ送信する。また、該回線を介してネットワークから通信データを受信し、通信部１１に対して無線送信する。
【００３１】
また、通信部２１は、定期的に上記制御信号を送信しており、通信部１１は、通信部２１により送信される制御信号を受信する。
【００３２】
接続先とする基地局装置２０を決定するに際し、移動局装置１０は通信品質関係データを利用する。そこで、以下ではまず、この通信品質関係データ及びその蓄積にかかる機能について説明する。その後、移動局装置１０における接続先基地局装置２０の決定にかかる機能について説明する。
【００３３】
まず通信品質関係データ及びその蓄積にかかる機能について説明する。通信品質情報取得部１２は、各基地局装置２０との間で行う通信の通信品質を示す通信品質情報を取得する。ここでの通信品質情報は通信部１１により受信される無線信号の通信品質を示す情報であり、そのより具体的な例としては、通信レート、受信信号の受信電力（ＲＳＳＩ：Received Signal Strength Indicator）、受信信号の振幅、受信信号のＣＩＲ（Carrier to
Interferer Ratio：キャリア対干渉比）、ＳＮＲ（Signal to Noise Ratio：信号対雑音比）などが挙げられる。以下では、この通信品質情報はＣＩＲであるとして説明する。
【００３４】
通信品質情報取得時間帯情報取得部１３は、通信品質情報取得部１２が通信品質情報を取得した際の時間帯を示す時間帯情報を取得する。具体的な例では、移動局装置１０は、時間帯区分を予め記憶している。この時間帯区分は、１日を１時間ごとに２４区分したものであってもよいし、１週間を曜日ごとに７区分したものであってもよいし、１年を週ごとに区分したものであってもよいし、これらを組み合わせて区分したものであってもよい。通信品質情報取得時間帯情報取得部１３は、通信品質情報取得部１２が通信品質情報を取得した際の時刻が含まれる時間帯区分を示す時間帯情報を取得する。
【００３５】
なお、移動局装置１０は図示しない時計を内蔵しており、通信品質情報取得時間帯情報取得部１３は、この時計により、通信品質情報取得部１２が通信品質情報を取得した際の時刻を取得するようにすることが好適である。他にも、後述するＧＰＳ受信機により受信されるＧＰＳ信号や、通信部１１により受信される信号から該時刻を取得することとしてもよい。
【００３６】
通信品質情報取得位置情報取得部１４は、通信品質情報取得部１２が通信品質情報を取得した際の位置を示す位置情報を取得する。具体的な例では、移動局装置１０はＧＰＳ（Global Positioning System：全地球無線測位システム）受信機を備えており、通信品質情報取得位置情報取得部１４は、通信品質情報取得部１２が通信品質情報を取得した際の位置を示す位置情報を、上記ＧＰＳ受信機から取得する。
【００３７】
なお、通信品質情報取得位置情報取得部１４は、各基地局装置２０から受信される無線信号の受信電力に基づいて当該移動局装置１０の位置を算出することにより、位置情報を取得することとしてもよい。
【００３８】
通信部１１は、通信品質情報取得部１２により取得された通信品質情報と、該通信品質情報について通信品質情報取得時間帯情報取得部１３により取得された時間帯情報及び通信品質情報取得位置情報取得部１４により取得された位置情報と、を基地局装置２０に対して送信する。
【００３９】
通信部２１は、通信中の各移動局装置１０から通信品質情報、時間帯情報、及び位置情報を受信し、通信品質関係データ生成部２３に出力する。
【００４０】
通信品質情報取得部２２は、各移動局装置１０との間で行う通信の通信品質を示す通信品質情報を取得する。ここでの通信品質情報は通信を行っている際の通信部２１の余裕度を示す情報であり、そのより具体的な例としては、ネットワークと接続している回線の余裕度を示す回線側空きトラフィック量が挙げられる。以下では、この通信品質情報は回線側空きトラフィック量であるとして説明する。
【００４１】
通信品質関係データ生成部２３は、通信部２１から入力される通信品質情報、時間帯情報、及び位置情報を取得する。また、該時間帯情報により示される時間帯に通信品質情報取得部２２が取得していた通信品質情報を取得する。通信品質関係データ生成部２３は、こうして取得した各情報の関係を示す通信品質関係データを生成する。
【００４２】
具体的な通信品質関係データは、位置情報、時間帯情報、通信品質情報（通信品質情報取得部１２及び通信品質情報取得部２２のそれぞれで取得されたもの）を対応付けてなるデータである。表１に、この通信品質関係データの例を示す。
【００４３】
【表１】
2007318594.tif 000003
【００４４】
通信品質関係データ生成部２３は、こうして生成した通信品質関係データを、記憶部２４に書き込む。既に同一の位置情報及び時間帯情報の組み合わせについての通信品質関係データが記憶されている場合には、通信品質関係データ生成部２３は、例えば平均算出処理などの所定の統計処理を行うことにより、記憶されている通信品質関係データを更新する。記憶部２４は、こうして、通信品質関係データを蓄積・記憶する。
【００４５】
次に、移動局装置１０における接続先基地局装置２０の決定にかかる機能について説明する。
【００４６】
まず初めに、移動局装置１０が接続先基地局装置２０の決定を行うタイミングについて、移動局装置１０の処理フローを参照しながら説明する。
【００４７】
図３は、移動局装置１０が行うハンドオーバ処理の処理フローを示す図である。同図に示すように、移動局装置１０は、位置や時間帯の変化を検出するために、状態変化検出ループ処理（Ｓ１０乃至Ｓ１５）を行う。このループにおいて、移動局装置１０は、エリアの変化を検出する（Ｓ１１）。
【００４８】
エリアの変化の検出について、図１を参照しつつ、説明する。図１に示される縦の点線は経度を、横の点線は緯度を、それぞれ示しており、移動局装置１０はこれらの点線に囲まれてなる複数のエリアのいずれかに位置する。移動局装置１０は、位置情報取得部１７（後述）により取得される位置情報を監視することにより、エリア間を跨って移動したことを検出する。
【００４９】
移動局装置１０は、また、時間帯の変化を検出する（Ｓ１３）。具体的には、時間帯情報取得部１６（後述）により取得される時間帯情報を監視することにより、現在時刻の属する時間帯区分が変化したことを検出する。
【００５０】
移動局装置１０は、Ｓ１１又はＳ１３においてエリアの変化又は時間帯の変化を検出すると、接続先基地局装置決定処理を開始する（Ｓ１２，Ｓ１４）。
【００５１】
このように、移動局装置１０は、エリアの変化又は時間帯の変化を検出したタイミングで、接続先基地局装置２０の決定を行う。なお、ここではハンドオーバ処理を取り上げたが、他にも、例えば通信開始処理（発呼・着呼の各処理）や位置登録処理などにおいても、接続先基地局装置２０の決定が行われるようにすることが好適である。
【００５２】
以下、移動局装置１０が接続先基地局装置２０の決定を行うための機能について、詳細に説明する。
【００５３】
接続先基地局装置決定処理が開始されると、通信品質関係データ取得部１５は、各基地局装置２０に通信品質関係データを送信するよう要求するための通信品質関係データ送信要求信号を生成し、通信部１１に出力する。
【００５４】
通信部１１は、通信品質関係データ取得部１５から入力される通信品質関係データ送信要求信号を、その時点で通信可能と判定している基地局装置２０（制御信号を受信している基地局装置２０）の全て又は一部に対して送信する。
【００５５】
具体的な例では、ハンドオーバ先候補選出部１１１は、いずれかの基地局装置２０と通信接続中の当該移動局装置１０について、例えば制御信号の受信電力に基づき、そのハンドオーバ先候補として少なくとも１つの基地局装置２０を選出する。通信部１１は、当該移動局装置１０と通信接続中の基地局装置２０と、ハンドオーバ先候補として選出された各基地局装置２０と、に対して通信品質関係データ送信要求信号を送信する。
【００５６】
通信品質関係データ送信要求信号について、より詳しく説明する。時間帯情報取得部１６は、現在時刻に応じて、時間帯を示す時間帯情報を取得する。具体的には、現在時刻が含まれる時間帯情報を取得する。時間帯情報取得部１６が時間帯情報を取得するための具体的処理は、通信品質情報取得時間帯情報取得部１３と同様である。
【００５７】
また、位置情報取得部１７は、当該移動局装置１０の現在位置に応じて、位置を示す位置情報を取得する。具体的には、現在位置が含まれる位置情報を取得する。この位置情報取得部１７が位置情報を取得するための具体的処理は、通信品質情報取得位置情報取得部１４と同様である。
【００５８】
通信品質関係データ取得部１５は、通信品質関係データ送信要求信号を生成しようとするときに時間帯情報取得部１６により取得されている時間帯情報及び位置情報取得部１７により取得されている位置情報を、生成する通信品質関係データ送信要求信号に含める。すなわち、通信品質関係データ送信要求信号は、時間帯情報と位置情報とを含んでいる。
【００５９】
通信部２１は、通信品質関係データ送信要求信号を受信すると、通信品質関係データ読出部２５に出力する。
【００６０】
通信品質関係データ読出部２５は、入力された通信品質関係データ送信要求信号と、該通信品質関係データ送信要求信号により示される時間帯情報及び位置情報と、に応じて記憶部２４に記憶される通信品質関係データのうちの全部又は一部を読み出す。具体的な例では、通信品質関係データ読出部２５は、通信品質関係データ送信要求信号により示される時間帯情報及び位置情報について記憶される通信品質関係データを読み出す。そして、読み出した通信品質関係データに応じた送信用データ（ここでは通信品質関係データそのものとする。）を、入力された通信品質関係データ送信要求信号を送信した移動局装置１０に対して送信するよう、通信部２１に指示する。
【００６１】
また、通信品質関係データ読出部２５は、通信品質関係データと併せて、当該基地局装置２０のタイムスロットに、移動局装置１０と通信するための空きがあるか否かを示す空きスロット有無データと、当該基地局装置２０のスロット数と現在通信接続中の移動局装置２０の数を示すスロット状況データについても取得する。そして、取得した空きスロット有無データ及びスロット状況データを、入力された通信品質関係データ送信要求信号を送信した移動局装置１０に対して送信するよう、通信部２１に指示する。
【００６２】
通信部２１は、通信品質関係データ読出部２５の指示に従い、各データを送信する。
【００６３】
通信品質関係データ取得部１５は、通信部１１を介して各基地局装置２０が送信した通信品質関係データ、空きスロット有無データ、及びスロット状況データを取得し、通信品質傾向データ取得部１８に出力する。
【００６４】
具体的な例では、通信品質傾向データ取得部１５は、当該移動局装置１０と通信接続中の基地局装置２０について通信品質傾向データ、空きスロット有無データ、及びスロット状況データを取得するとともに、当該移動局装置１０のハンドオーバ先候補として選出された各基地局装置２０についても通信品質傾向データ、空きスロット有無データ、及びスロット状況データを取得し、通信品質傾向データ取得部１８に出力する。
【００６５】
通信品質傾向データ取得部１８は、通信品質関係データ取得部１５から入力される、各基地局装置２０についての通信品質関係データ、空きスロット有無データ、及びスロット状況データを取得する。また、通信品質傾向データ取得部１８は、通信部１１が受信している制御信号の受信電力を示す受信電力データも取得する。
【００６６】
通信品質傾向データ取得部１８は、こうして取得した各データから、各基地局装置２０について、時間帯情報取得部１６により取得される時間帯情報により示される時間帯及び位置情報取得部１７により取得される位置情報により示される位置における通信品質の傾向を示す通信品質傾向データを取得する。
【００６７】
通信品質傾向データは、基地局装置２０間の相対的な通信品質を、通信品質関係データ等に応じて点数化してなるデータである。表２に、各基地局装置２０についての通信品質傾向データの具体的な例を示す。同表に示すように、通信品質傾向データ取得部１８は、受信電力データ、通信品質関係データ（回線側空きトラフィック量及びＣＩＲ）、空きスロット有無データ、をそれぞれ点数化し、掛け合わせることにより、通信品質傾向データを算出する。
【００６８】
【表２】
2007318594.tif 000004
【００６９】
以下では、各点数の具体的な算出処理について示す。通信品質傾向データ取得部１８は、各基地局装置２０についての回線側空きトラフィック量の中から、最大値（最大回線側空きトラフィック量）を取得する。同様に、各基地局装置２０についてのＣＩＲの中から、最大値（最大ＣＩＲ）を取得する。
【００７０】
次に通信品質傾向データ取得部１８は、以下の式（１）乃至（３）により、各基地局装置２０について、受信電力点数、回線側空きトラフィック量点数、ＣＩＲ点数を算出する。なお、αは、所定の規格化係数である。
【００７１】
受信電力点数＝受信電力データ×α  …（１）
回線側空きトラフィック量点数＝（回線側空きトラフィック量÷最大回線側空きトラフィック量）×１００  …（２）
ＣＩＲ点数＝（ＣＩＲ÷最大ＣＩＲ）×１００  …（３）
【００７２】
さらに、通信品質傾向データ取得部１８は、次のようにして空きスロット点数を算出する。すなわち、空きスロット有無データにより、移動局装置１０と通信するための空きタイムスロットがあることが示される基地局装置２０について、空きスロット点数を１とする。一方、移動局装置１０と通信するための空きタイムスロットがないことが示される基地局装置２０について、空きスロット点数を以下の式（４）により算出する。ここで、「スロット数」及び「現在通信接続中の移動局装置２０の数」は、スロット状況データから取得されるものである。
【００７３】
空きスロット点数＝スロット数／（現在通信接続中の移動局装置２０の数）  …（４）
【００７４】
通信品質傾向データ取得部１８は、以上のようにして、各点数を算出している。
【００７５】
接続先決定部１９は、通信品質傾向データ取得部１８により取得される各基地局装置２０についての通信品質傾向データに基づき、当該移動局装置１０の接続先となる基地局装置２０を決定する。具体的には、最も通信品質傾向データの大きい基地局装置２０を、接続先として決定する。
【００７６】
より具体的な例では、接続先決定部１９は、当該移動局装置１０と通信接続中の基地局装置２０について取得された通信品質傾向データと、当該移動局装置１０のハンドオーバ先候補として選出された各基地局装置２０のそれぞれについて取得された通信品質傾向データと、を比較し、比較結果に基づいて、当該移動局装置１０の接続先となる基地局装置２０を決定する。
【００７７】
この決定の結果、接続先決定部１９により接続先として決定された基地局装置２０が、ハンドオーバ先候補として選出された各基地局装置２０のうちのひとつであった場合、すなわち、現在通信接続中である基地局装置２０とは異なる基地局装置２０が接続先となった場合、ハンドオーバ処理開始部１９１は、接続先として決定された基地局装置２０にハンドオーバするための所定のハンドオーバ処理を開始する。
【００７８】
以下では、接続先基地局装置決定処理について、処理フローを参照しながら、再度より詳細に説明する。
【００７９】
図４は、移動局装置１０が行う接続先基地局装置決定処理の処理フローを示す図である。同図に示すように、移動局装置１０は、受信可能なＢＣＣＨ（制御信号）を全て受信する（Ｓ１）。そして、移動局装置１０は、各基地局装置２０について、制御信号の受信電力を示す受信電力データを取得する（Ｓ２）。
【００８０】
次に、移動局装置１０は、各基地局装置２０について、通信品質関係データ（ここでは、回線側空きトラフィック量及びＣＩＲであるとする。）及び空きスロット有無データを取得する（Ｓ３）。
【００８１】
移動局装置１０は、以上のようにして取得した受信電力データ、回線側空きトラフィック量、ＣＩＲのそれぞれについて、その最大値を取得する（Ｓ４）。そして、上述のようにして、各データを点数化する（Ｓ５）。
【００８２】
移動局装置１０は、こうして点数化された各データを、基地局装置２０ごとに掛け合わせる（Ｓ６）。その結果得られる点数が最大である基地局装置２０を、接続先として決定する（Ｓ７）。こうして、接続先基地局装置決定処理が行われる。
【００８３】
以上説明したように、移動体通信システム１によれば、移動局装置１０が通信を開始しようとする時点では、ある基地局装置２０と通信を行う場合に良い通信品質が得られるとしても、通常その時点を含む時間帯で、移動局装置１０が該基地局装置２０と通信を行う場合の通信品質がよくない場合には、接続先として該基地局装置２０が選択されにくくすることができる。
【００８４】
また、記憶部２４に、各移動局装置１０が取得した通信品質情報（過去の通信品質情報）に関する通信品質関係データを蓄積しておくことができるようになる。
【００８５】
さらに、移動局装置１０の位置にも応じて、より適切に接続先の基地局装置２０を決定することができるようになる。
【００８６】
なお、本発明は上記実施の形態に限定されるものではない。例えば、上記実施の形態では、通信品質傾向データ取得部１８を移動局装置１０に設けたが、基地局装置２０に設けることとしてもよい。この場合、基地局装置２０は、移動局装置１０から受信電力データを受信するようにすることが好適であるが、受信電力データを使用せずに通信品質傾向データを算出するようにすることも可能である。
【００８７】
また、記憶部２４に記憶する時点で、通信品質関係データを点数化してもよい。こうすれば、通信品質関係データの情報量を減らすことができる。
【００８８】
また、基地局装置２０は、通信品質関係データ送信要求信号に応じて通信品質関係データや空きスロット有無データを送信するのではなく、定期的に送信する制御信号にこれらを含めて送信することとしてもよい。こうすれば、移動局装置１０は、制御信号を読み取る処理を行うだけで、通信品質関係データ及び空きスロット有無データを取得することができる。
【００８９】
さらに、上記実施の形態では、各基地局装置２０に通信品質関係データを記憶するための記憶部２４を設けたが、ネットワーク上のサーバなどで複数の基地局装置２０にかかる通信品質関係データを一元管理することとしてもよい。
【図面の簡単な説明】
【００９０】
【図１】本発明の実施の形態にかかる移動体通信システムのシステム構成を示す図である。
【図２】本発明の実施の形態にかかる移動局装置及び基地局装置の機能ブロックを示す図である。
【図３】本発明の実施の形態にかかる移動局装置の処理フローを示す図である。
【図４】本発明の実施の形態にかかる移動局装置の処理フローを示す図である。
【符号の説明】
【００９１】
１  移動体通信システム、１０  移動局装置、１１，２１  通信部、１２，２２  通信品質情報取得部、１３  通信品質情報取得時間帯情報取得部、１４  通信品質情報取得位置情報取得部、１５  通信品質関係データ取得部、１６  時間帯情報取得部、１７  位置情報取得部、１８  通信品質傾向データ取得部、１９  接続先決定部、２０  基地局装置、２１  通信部、２３  通信品質関係データ生成部、２４  記憶部、２５  通信品質関係データ読出部、１１１  ハンドオーバ先候補選出部、１９１  ハンドオーバ処理開始部。
【図１】
2007318594.tif 000005
【図２】
2007318594.tif 000006
【図３】
2007318594.tif 000007
【図４】
2007318594.tif 000008